(57)【要約】      （修正有）【課題】簡単な構造で、高精度で所望の光学特性が得られる光学素子の製造方法及び光学素子を提供する。【解決手段】光学素子の製造方法は、成形品を離型させる突き出し機構１０を備える金型１１と、突き出し機構を備えない金型１２を有し、突き出し機構１０を備える金型１１側に、光学素子の解析構造等微細な階段形状１ｃの面を形成する型面を有し、この突き出し機構１０を備える金型１１と突き出し機構を備えない金型１２とで形成される型内に樹脂を射出し、この後に、型開きを行ない、突き出し機構１０を作動させて光学素子の成形品を突き出し離型させ、一方側に回折構造等微細な階段形状１ｃの面を有する光学素子を製造する。また、光学素子は、この光学素子の製造方法により形成される。【選択図】図１
2010188736.tif 000002
【特許請求の範囲】
【請求項１】
型開き状態で成形品が残る金型と、型開き状態で成形品が離型する金型を有し、前記型開き状態で成形品が残る金型側に、光学素子の回折構造等微細な階段形状の面を形成する型面を有し、前記型開き状態で成形品が残る金型と前記型開き状態で成形品が離型する金型とで形成される型内に樹脂を射出し、この後に、型開きを行ない、前記型開き状態で成形品が残る金型から光学素子の成形品を離型させ、一方側に回折構造等微細な階段形状の面を有する光学素子を製造することを特徴とする光学素子の製造方法。
【請求項２】
成形品を離型させる突き出し機構を備える金型と、突き出し機構を備えない金型を有し、前記突き出し機構を備える金型側に、光学素子の回折構造等微細な階段形状の面を形成する型面を有し、この突き出し機構を備える金型と突き出し機構を備えない金型とで形成される型内に樹脂を射出し、この後に、型開きを行ない、前記突き出し機構を作動させて光学素子の成形品を突き出し離型させ、一方側に回折構造等微細な階段形状の面を有する光学素子を製造することを特徴とするプラスチックレンズの製造方法。
【請求項３】
前記突き出し機構は、光学素子の回折構造等微細な階段形状の面を形成する型面を少なくとも一部に有し、この突き出し機構を作動させて光学素子の成形品を突き出し離型させることを特徴とする請求項１または請求項２に記載の光学素子の製造方法。
【請求項４】
請求項１乃至請求項３のいずれか１項に記載の光学素子の製造方法により形成したことを特徴とする光学素子。
【発明の詳細な説明】
【技術分野】
【０００１】
この発明は、射出成形によって形成する光学素子の製造方法及び光学素子に関するものである。
【背景技術】
【０００２】
光学素子として、例えばプラスチックレンズがあり、光ピックアップ装置、カメラ等の光学機器等の光学系に用いられる（特許文献１）。このようなプラスチックレンズとして、例えば図７に示すように、一方側に回折構造１００ａの面を有するプラスチックレンズ１００がある。
【０００３】
このプラスチックレンズ１００の製造は、図８に示すように、成形品を離型させる突き出し機構１０１を備える金型１０２と、突き出し機構を備えない金型１０３とで形成される型内に樹脂を射出し、この後に、図９に示すように、突き出し機構１０１を備える金型１０２を移動して型開きを行ない、図１０に示すように、突き出し機構１０１を作動させてプラスチックレンズ１００の成形品を突き出し離型させるものがある。
【先行技術文献】
【特許文献】
【０００４】
【特許文献１】特開２０００−１５８４８４号公報
【発明の概要】
【発明が解決しようとする課題】
【０００５】
このようなプラスチックレンズの製造では、突き出し機構を備えない金型１０３に、プラスチックレンズ１００の回折構造１００ａの面を形成する型面１０３ａを有しており、突き出し機構１０１を備える金型１０２を移動して型開きを行なうときに、少しでも移動方向と直交方向にずれると、型開きの瞬間にプラスチックレンズ１００の回折構造１００ａがずれて変形することがある。
【０００６】
突き出し機構１０１を備える金型１０２は重量があるために、型開きの際にずれを抑えることは容易ではなく、このずれによって回折構造１００ａの面を有するプラスチックレンズ１００は所望の光学特性が得られない場合が生じる。
【０００７】
この発明は、かかる点に鑑みてなされたもので、簡単な構造で、高精度で所望の光学特性が得られる光学素子の製造方法及び光学素子を提供することを目的としている。  
【課題を解決するための手段】
【０００８】
前記課題を解決し、その目的を達成するために、この発明は、以下のように構成した。
【０００９】
請求項１に記載の発明は、『型開き状態で成形品が残る金型と、型開き状態で成形品が離型する金型を有し、前記型開き状態で成形品が残る金型側に、光学素子の回折構造等微細な階段形状の面を形成する型面を有し、前記型開き状態で成形品が残る金型と前記型開き状態で成形品が離型する金型とで形成される型内に樹脂を射出し、この後に、型開きを行ない、前記型開き状態で成形品が残る金型から光学素子の成形品を離型させ、一方側に回折構造等微細な階段形状の面を有する光学素子を製造することを特徴とする光学素子の製造方法。』である。
【００１０】
請求項２に記載の発明は、『成形品を離型させる突き出し機構を備える金型と、突き出し機構を備えない金型を有し、前記突き出し機構を備える金型側に、光学素子の回折構造等微細な階段形状の面を形成する型面を有し、この突き出し機構を備える金型と突き出し機構を備えない金型とで形成される型内に樹脂を射出し、この後に、型開きを行ない、前記突き出し機構を作動させて光学素子の成形品を突き出し離型させ、一方側に回折構造等微細な階段形状の面を有する光学素子を製造することを特徴とするプラスチックレンズの製造方法。』である。
【００１１】
請求項３に記載の発明は、『前記突き出し機構は、光学素子の回折構造等微細な階段形状の面を形成する型面を少なくとも一部に有し、この突き出し機構を作動させて光学素子の成形品を突き出し離型させることを特徴とする請求項１または請求項２に記載の光学素子の製造方法。』である。
【００１２】
請求項４に記載の発明は、『請求項１乃至請求項３のいずれか１項に記載の光学素子の製造方法により形成したことを特徴とする光学素子。』である。
【発明の効果】
【００１３】
前記構成により、この発明は、以下のような効果を有する。
【００１４】
この請求項１に記載の発明によれば、型開き状態で成形品が残る金型と型開き状態で成形品が離型する金型とで形成される型内に樹脂を射出し、この後に、型開きを行なうが、
この型開きを行なうときに、金型間でずれが生じても、型開き状態で成形品が残る金型側の型面と光学素子の回折構造等微細な階段形状の面とはずれることがなく、その後、光学素子の成形品を離型させるから、簡単な構造で、高精度で所望の光学特性が得られる回折構造等微細な階段形状の面を有する光学素子の製造が可能である。
【００１５】
この請求項２に記載の発明によれば、突き出し機構を備える金型と突き出し機構を備えない金型とで形成される型内に樹脂を射出し、この後に、型開きを行なうが、この型開きを行なうときに、金型間でずれが生じても、突き出し機構を備える金型側の型面と光学素子の回折構造等微細な階段形状の面とはずれることがない。その後、突き出し機構を作動させて光学素子の成形品を突き出し離型させるから、簡単な構造で、高精度で所望の光学特性が得られる回折構造等微細な階段形状の面を有する光学素子の製造が可能である。
【００１６】
この請求項３に記載の発明によれば、突き出し機構は、光学素子の回折構造等微細な階段形状の面を形成する型面を少なくとも一部に有するから、突き出し機構を作動させて光学素子の成形品を突き出し離型させる際に、光学素子の回折構造の面全体が突き出され、回折構造の面がずれることがなくより一層高精度で所望の光学特性が得られる回折構造等微細な階段形状の面を有する光学素子の製造が可能である。
【００１７】
この請求項４に記載の発明によれば、高精度で所望の光学特性が得られる一方側に回折構造等微細な階段形状の面を有する光学素子である。
【図面の簡単な説明】
【００１８】
【図１】金型の構成を示す図である。
【図２】金型に樹脂を射出した状態を示す図である。
【図３】金型の型開きを示す図である。
【図４】突き出し機構の作動状態を示す図である。
【図５】プラスチックレンズの回折構造の面を形成する型面とプラスチックレンズの回折構造の面を示す図である。
【図６】一方側に回折構造の面を有するプラスチックレンズの側面図である。
【図７】従来の一方側に回折構造の面を有するプラスチックレンズの側面図である。
【図８】従来のプラスチックレンズと金型の構成を示す図である。
【図９】従来の金型の型開きを示す図である。
【図１０】従来の突き出し機構の作動状態を示す図である。
【発明を実施するための形態】
【００１９】
以下、この発明の光学素子の製造方法及び光学素子の実施の形態を図面に基づいて説明するが、この発明は、この実施の形態に限定されるものではない。
【００２０】
図１は金型の構成を示す図、図２は金型に樹脂を射出した状態を示す図、図３は金型の型開きを示す図、図４は突き出し機構の作動状態を示す図、図５はプラスチックレンズの回折構造の面を形成する型面とプラスチックレンズの回折構造の面を示す図、図６は一方側に回折構造の面を有するプラスチックレンズの側面図である。
【００２１】
この実施の形態の製造装置は、光学素子としてプラスチックレンズを製造するものであり、成形品を離型させる突き出し機構１０を備える金型１１と、突き出し機構を備えない金型１２とを有し、金型１１が型開き状態で成形品が残る金型を構成し、金型１２が型開き状態で成形品が離型する金型を構成する。金型１２は固定され、金型１１が移動する構造であり、一方側に回折構造等微細な階段形状の面を有するプラスチックレンズ１を射出成形する。この発明の射出（射出成形）は、射出圧縮成形等、金型に樹脂を射出して成形するものを含む。
【００２２】
この実施の形態の光学素子としてのプラスチックレンズ１は、図６に示すように、光学機能部１ａと、この光学機能部１ａの外周にフランジ部１ｂを有する。この光学機能部１ａの一方側の面には、微細な階段形状の回折構造１ｃが形成され、高精度で所望の光学特性が得られるようになっている。なお、この実施の形態では、プラスチックレンズ１が光学機能部１ａの外周にフランジ部１ｂを有するが、フランジ部を有しないものでもよく、また円形のレンズに限定されず、板状のレンズでもよい。また、光学素子はプラスチックレンズに限定されず、導光体等でもよい。
【００２３】
金型１１は、プラスチックレンズ１のフランジ部１ｂを形成する型面１１ａを有する。突き出し機構１０は、プラスチックレンズ１の光学機能部１ａの回折構造１ｃの面を形成する型面１０ａとフランジ部１ｂの内周側の一部を形成する型面１０ｂを有する。なお、突き出し機構１０には、フランジ部１ｂの内周側の一部を形成する型面１０ｂを形成しないで、全型面を光学機能部１ａの回折構造の面を形成する型面としてもよい。
【００２４】
金型１２は、プラスチックレンズ１の光学機能部１ａを形成する型面  １２ａとフランジ部１ｂを形成する型面１２ｂを有する。
【００２５】
この突き出し機構１０を備える金型１１と突き出し機構を備えない金型１２とで形成される図２に示す型内に樹脂を射出し、冷却する。この樹脂の射出は、図示しない樹脂注入流路であるランナーから行ない、ランナーのゲート部がフランジ部１ｂに一体的に形成され、後のゲートカット工程でゲート部が切断される。
【００２６】
この冷却の後に、図３に示すように、突き出し機構１０を備える金型１１を移動して型開きを行ない、図４に示すように、突き出し機構１０を作動させてプラスチックレンズ１の成形品を突き出し離型させる。
【００２７】
また、突き出し機構１０は、プラスチックレンズ１の回折構造１ｃの面を形成する型面１０ａを少なくとも一部に有するから、突き出し機構１０を作動させてプラスチックレンズ１の成形品を突き出し離型させる際に、プラスチックレンズ１の回折構造１ｃの面全体が突き出され、回折構造１ｃの面がずれることがなくより一層高精度で所望の光学特性が得られる回折構造１ｃの面を有するプラスチックレンズ１の製造が可能である。
【００２８】
また、プラスチックレンズ１の回折構造１ｃの面を形成する型面１０ａは、図５に示すように、断面形状を鋸刃状に形成されているが、これに限定されず回折現象が生じる形状であればよい。なお、図５に示すように、金型の抜き勾配ゼロ（プラスチックレンズ１の鋸歯状の段差方向は、プラスチックレンズ１の光軸と平行）であることが、光量損失の低減できることで好ましく、この発明が、よりその光量損失を低減できるとともに、そのようなプラスチックレンズ１の製造を実現できるという効果を奏する。
【００２９】
このように、突き出し機構１０を備える金型１１と突き出し機構を備えない金型１２とで形成される型内に樹脂を射出し、この後に、型開きを行なうが、この型開きを行なうときに、金型間でずれが生じても、突き出し機構１０の型面１０ａとプラスチックレンズ１の回折構造１ｃの面とはずれることがない。その後、突き出し機構１０を作動させてプラスチックレンズ１の成形品を突き出し離型させるから、簡単な構造で、高精度で所望の光学特性が得られる回折構造の面を有するプラスチックレンズ１の製造が可能である。
【００３０】
また、この実施の形態では、突き出し機構１０の型面１０ａでプラスチックレンズ１の回折構造１ｃの面を形成し、突き出し機構１０で光学機能部１ａを突き出して離型させるが、これに限定されることなく、突き出し機構でフランジ部１ｂを突き出して離型させるものでもよく、この場合は突き出し機構１０と金型１１が一体で加工できるので金型１１にプラスチックレンズ１の回折構造１ｃの面を形成する型面を形成する。
【産業上の利用可能性】
【００３１】
この発明は、射出成形によって形成する光学素子の製造方法及び光学素子に適用可能であり、簡単な構造で、高精度で所望の光学特性が得られる。
【符号の説明】
【００３２】
１  プラスチックレンズ
１ａ  光学機能部
１ｂ  フランジ部
１ｃ  回折構造
１０  突き出し機構
１１，１２  金型
【図１】
2010188736.tif 000003
【図２】
2010188736.tif 000004
【図３】
2010188736.tif 000005
【図４】
2010188736.tif 000006
【図５】
2010188736.tif 000007
【図６】
2010188736.tif 000008
【図７】
2010188736.tif 000009
【図８】
2010188736.tif 000010
【図９】
2010188736.tif 000011
【図１０】
2010188736.tif 000012
【手続補正書】
【提出日】平成22年6月3日(2010.6.3)
【手続補正２】
【補正対象書類名】特許請求の範囲
【補正対象項目名】全文
【補正方法】変更
【補正の内容】
【特許請求の範囲】
【請求項１】
光学素子を製造する製造装置は、型開き状態で成形品が残る金型と、型開き状態で成形品が離型する金型を有し、前記型開き状態で成形品が残る金型側に、光学素子の回折構造の面を形成する型面を有し、
前記型開き状態で成形品が残る金型と前記型開き状態で成形品が離型する金型とで形成される型内に樹脂を射出し、
この後に、前記光学素子の回折構造の面を、前記型開き状態で成形品が残る金型に接触させた状態で型開きを行ない、
前記型開き状態で成形品が残る金型から光学素子の成形品を離型させ、
一方側に回折構造の面を有する光学素子を製造することを特徴とする光ピックアップ装置用の光学素子の製造方法。
【請求項２】
前記型開き状態で成形品が残る金型は、成形品を離型させる突き出し機構を備え、
前記突き出し機構は、光学素子の回折構造の面を形成する型面を少なくとも一部に有し、この突き出し機構を作動させて光学素子の成形品を突き出し離型させることを特徴とする請求項１に記載の光ピックアップ装置用の光学素子の製造方法。
【請求項３】
前記光学素子の回折構造の面を形成する型面は、凹形状を有することを特徴とする請求項１または請求項２に記載の光ピックアップ装置用の光学素子の製造方法。
【請求項４】
前記型開き状態で成形品が残る金型は、光学素子のフランジ部を形成する型面を有することを特徴とする請求項１乃至請求項３のいずれか１項に記載の光ピックアップ装置用の光学素子の製造方法。
【請求項５】
前記型開き状態で成形品が離型する金型は、光学素子のフランジ部を形成する型面を有することを特徴とする請求項１乃至請求項４のいずれか１項に記載の光ピックアップ装置用の光学素子の製造方法。
【請求項６】
前記型内に樹脂を射出した状態で、前記型開き状態で成形品が残る金型と光学素子のフランジ部が接する面積は、前記型開き状態で成形品が離型する金型と光学素子のフランジ部が接する面積よりも大きいことを特徴とする請求項１乃至請求項５のいずれか１項に記載の光ピックアップ装置用の光学素子の製造方法。
【請求項７】
樹脂注入流路であるランナーから前記型内に樹脂を射出し、前記ランナーのゲート部を光学素子のフランジ部と一体的に形成することを特徴とする請求項１乃至請求項６のいずれか１項に記載の光ピックアップ装置用の光学素子の製造方法。
【請求項８】
型開きの際に、前記型開き状態で成形品が残る金型は移動し、前記型開き状態で成形品が離型する金型は固定されることを特徴とする請求項１乃至請求項７のいずれか１項に記載の光ピックアップ装置用の光学素子の製造方法。
【請求項９】
型開き状態で成形品が残る金型と、型開き状態で成形品が離型する金型を有し、
前記型開き状態で成形品が残る金型側に、光学素子の回折構造の面を形成する型面を有することを特徴とする光ピックアップ装置用の光学素子の製造装置。
【請求項１０】
前記型開き状態で成形品が残る金型は、成形品を離型させる突き出し機構を備え、
前記突き出し機構は、光学素子の回折構造の面を形成する型面を少なくとも一部に有することを特徴とする請求項９に記載の光ピックアップ装置用の光学素子の製造装置。
【請求項１１】
前記光学素子の回折構造の面を形成する型面は、凹形状を有することを特徴とする請求項９または請求項１０に記載の光ピックアップ装置用の光学素子の製造装置。
【請求項１２】
前記型開き状態で成形品が残る金型は、光学素子のフランジ部を形成する型面を有することを特徴とする請求項９乃至請求項１１のいずれか１項に記載の光ピックアップ装置用の光学素子の製造装置。
【請求項１３】
前記型開き状態で成形品が離型する金型は、光学素子のフランジ部を形成する型面を有することを特徴とする請求項９乃至請求項１２のいずれか１項に記載の光ピックアップ装置用の光学素子の製造装置。
【請求項１４】
前記型開き状態で成形品が残る金型と前記型開き状態で成形品が離型する金型とで形成される型内に樹脂を射出した状態で、前記型開き状態で成形品が残る金型と光学素子のフランジ部が接する面積は、前記型開き状態で成形品が離型する金型と光学素子のフランジ部が接する面積よりも大きいことを特徴とする請求項９乃至請求項１３のいずれか１項に記載の光ピックアップ装置用の光学素子の製造装置。
【請求項１５】
前記型開き状態で成形品が残る金型と前記型開き状態で成形品が離型する金型とで形成される型内に樹脂を射出した状態で、樹脂注入流路であるランナーのゲート部と光学素子のフランジ部が一体的に形成されることを特徴とする請求項９乃至請求項１４のいずれか１項に記載の光ピックアップ装置用の光学素子の製造装置。
【請求項１６】
型開きの際に、前記型開き状態で成形品が残る金型は移動し、前記型開き状態で成形品が離型する金型は固定されることを特徴とする請求項９乃至請求項１５のいずれか１項に記載の光ピックアップ装置用の光学素子の製造装置。
【手続補正３】
【補正対象書類名】明細書
【補正対象項目名】０００１
【補正方法】変更
【補正の内容】
【０００１】
この発明は、射出成形によって形成する光ピックアップ装置用の光学素子の製造方法及び光ピックアップ装置用の光学素子の製造装置に関するものである。
【手続補正４】
【補正対象書類名】明細書
【補正対象項目名】０００７
【補正方法】変更
【補正の内容】
【０００７】
この発明は、かかる点に鑑みてなされたもので、簡単な構造で、高精度で所望の光学特性が得られる光ピックアップ装置用の光学素子の製造方法及び光ピックアップ装置用の光学素子の製造装置を提供することを目的としている。
【手続補正５】
【補正対象書類名】明細書
【補正対象項目名】０００９
【補正方法】変更
【補正の内容】
【０００９】
請求項１に記載の発明は、光学素子を製造する製造装置は、型開き状態で成形品が残る金型と、型開き状態で成形品が離型する金型を有し、前記型開き状態で成形品が残る金型側に、光学素子の回折構造の面を形成する型面を有し、前記型開き状態で成形品が残る金型と前記型開き状態で成形品が離型する金型とで形成される型内に樹脂を射出し、この後に、前記光学素子の回折構造の面を、前記型開き状態で成形品が残る金型に接触させた状態で型開きを行ない、前記型開き状態で成形品が残る金型から光学素子の成形品を離型させ、一方側に回折構造の面を有する光学素子を製造することを特徴とする光ピックアップ装置用の光学素子の製造方法である。
請求項２に記載の発明は、前記型開き状態で成形品が残る金型は、成形品を離型させる突き出し機構を備え、前記突き出し機構は、光学素子の回折構造の面を形成する型面を少なくとも一部に有し、この突き出し機構を作動させて光学素子の成形品を突き出し離型させることを特徴とする請求項１に記載の光ピックアップ装置用の光学素子の製造方法である。
請求項３に記載の発明は、前記光学素子の回折構造の面を形成する型面は、凹形状を有することを特徴とする請求項１または請求項２に記載の光ピックアップ装置用の光学素子の製造方法である。
請求項４に記載の発明は、前記型開き状態で成形品が残る金型は、光学素子のフランジ部を形成する型面を有することを特徴とする請求項１乃至請求項３のいずれか１項に記載の光ピックアップ装置用の光学素子の製造方法である。
請求項５に記載の発明は、前記型開き状態で成形品が離型する金型は、光学素子のフランジ部を形成する型面を有することを特徴とする請求項１乃至請求項４のいずれか１項に記載の光ピックアップ装置用の光学素子の製造方法である。
請求項６に記載の発明は、前記型内に樹脂を射出した状態で、前記型開き状態で成形品が残る金型と光学素子のフランジ部が接する面積は、前記型開き状態で成形品が離型する金型と光学素子のフランジ部が接する面積よりも大きいことを特徴とする請求項１乃至請求項５のいずれか１項に記載の光ピックアップ装置用の光学素子の製造方法である。
請求項７に記載の発明は、樹脂注入流路であるランナーから前記型内に樹脂を射出し、前記ランナーのゲート部を光学素子のフランジ部と一体的に形成することを特徴とする請求項１乃至請求項６のいずれか１項に記載の光ピックアップ装置用の光学素子の製造方法である。
請求項８に記載の発明は、型開きの際に、前記型開き状態で成形品が残る金型は移動し、前記型開き状態で成形品が離型する金型は固定されることを特徴とする請求項１乃至請求項７のいずれか１項に記載の光ピックアップ装置用の光学素子の製造方法である。
請求項９に記載の発明は、型開き状態で成形品が残る金型と、型開き状態で成形品が離型する金型を有し、前記型開き状態で成形品が残る金型側に、光学素子の回折構造の面を形成する型面を有することを特徴とする光ピックアップ装置用の光学素子の製造装置である。
請求項１０に記載の発明は、前記型開き状態で成形品が残る金型は、成形品を離型させる突き出し機構を備え、前記突き出し機構は、光学素子の回折構造の面を形成する型面を少なくとも一部に有することを特徴とする請求項９に記載の光ピックアップ装置用の光学素子の製造装置である。
請求項１１に記載の発明は、前記光学素子の回折構造の面を形成する型面は、凹形状を有することを特徴とする請求項９または請求項１０に記載の光ピックアップ装置用の光学素子の製造装置である。
請求項１２に記載の発明は、前記型開き状態で成形品が残る金型は、光学素子のフランジ部を形成する型面を有することを特徴とする請求項９乃至請求項１１のいずれか１項に記載の光ピックアップ装置用の光学素子の製造装置である。
請求項１３に記載の発明は、前記型開き状態で成形品が離型する金型は、光学素子のフランジ部を形成する型面を有することを特徴とする請求項９乃至請求項１２のいずれか１項に記載の光ピックアップ装置用の光学素子の製造装置である。
請求項１４に記載の発明は、前記型開き状態で成形品が残る金型と前記型開き状態で成形品が離型する金型とで形成される型内に樹脂を射出した状態で、前記型開き状態で成形品が残る金型と光学素子のフランジ部が接する面積は、前記型開き状態で成形品が離型する金型と光学素子のフランジ部が接する面積よりも大きいことを特徴とする請求項９乃至請求項１３のいずれか１項に記載の光ピックアップ装置用の光学素子の製造装置である。
請求項１５に記載の発明は、前記型開き状態で成形品が残る金型と前記型開き状態で成形品が離型する金型とで形成される型内に樹脂を射出した状態で、樹脂注入流路であるランナーのゲート部と光学素子のフランジ部が一体的に形成されることを特徴とする請求項９乃至請求項１４のいずれか１項に記載の光ピックアップ装置用の光学素子の製造装置である。
請求項１６に記載の発明は、型開きの際に、前記型開き状態で成形品が残る金型は移動し、前記型開き状態で成形品が離型する金型は固定されることを特徴とする請求項９乃至請求項１５のいずれか１項に記載の光ピックアップ装置用の光学素子の製造装置である。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１４
【補正方法】変更
【補正の内容】
【００１４】
この請求項１乃至請求項１６に記載の発明によれば、型開き状態で成形品が残る金型と型開き状態で成形品が離型する金型とで形成される型内に樹脂を射出し、この後に、光学素子の回折構造の面を、型開き状態で成形品が残る金型に接触させた状態で型開きを行ない、型開き状態で成形品が残る金型から光学素子の成形品を離型させ、一方側に回折構造の面を有する光学素子を製造することで、簡単な構造で、高精度で所望の光学特性が得られる回折構造の面を有する光学素子の製造が可能である。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１９
【補正方法】変更
【補正の内容】
【００１９】
以下、この発明の光ピックアップ装置用の光学素子の製造方法及び光ピックアップ装置用の光学素子の製造装置の実施の形態を図面に基づいて説明するが、この発明は、この実施の形態に限定されるものではない。
【手続補正１４】
【補正対象書類名】明細書
【補正対象項目名】００３１
【補正方法】変更
【補正の内容】
【００３１】
この発明は、射出成形によって形成する光ピックアップ装置用の光学素子の製造方法及び光ピックアップ装置用の光学素子の製造装置に適用可能であり、簡単な構造で、高精度で所望の光学特性が得られる。